(57)【要約】【課題】  同軸ケーブルの端末処理を確実かつ効率良く行う。【解決手段】  外絶縁層５を第１の位置で切断してその切断した外絶縁層部分を引き抜き、同軸ケーブルに残る外絶縁層を切断端からさらにケーブル中央側に向かう第２の位置で切断し、この切断した外絶縁層部分５ｂを端末側へ移動させる。次いで、移動させた外絶縁層部分５ｂの移動方向先端側と逆側にそれぞれ露出する外部導体４のうち双方を接着材または溶加材６によって固着する。次いで、移動させた外絶縁層部分５ｂを切断する前の近傍位置まで押し戻し、外絶縁層部分５ｂとともに移動する外部導体４の一部を半径方向外方へ突出するように折り曲げる。この折り曲げた外部導体の半径方向外方へ突出した部分を切断する。切断した外絶縁層部分５ｂを切断した外部導体４とともに端末側へ引き抜き、切り残されて露出する外部導体４をまとめて溶加材で固着する。【選択図】図５
2005312093.tif 000002
【特許請求の範囲】
【請求項１】
信号導体の外側に内絶縁層、外部導体、外絶縁層を順に設けてある同軸ケーブルの前記外絶縁層を、端末からケーブル中央側に向かう第１の位置で切断してその切断した前記外絶縁層部分を引き抜く第１の引抜工程と、
前記同軸ケーブルに残る前記外絶縁層を切断端からさらにケーブル中央側に向かう第２の位置で切断し、この切断した外絶縁層部分を端末側へ移動させる移動工程と、
該移動工程によって、移動させた前記外絶縁層部分の移動方向先端側と逆側にそれぞれ露出する前記外部導体のうちいずれか一方を接着材または溶加材によって固着する第１の固着工程と、
前記移動させた外絶縁層部分を切断する前の近傍位置まで押し戻して、該外絶縁層部分とともに移動する外部導体の一部を半径方向外方へ突出するように折り曲げる押戻工程と、
前記外部導体の半径方向外方へ突出した部分を切断する切断工程と、
前記切断した外絶縁層部分を前記切断した外部導体とともに端末側へ引き抜く第２の引抜工程とを備えることを特徴とする同軸ケーブルの端末処理方法。
【請求項２】
請求項１記載の同軸ケーブルの端末処理方法において、
前記第１の固着工程が、移動させた前記外絶縁層部分の移動方向先端側と逆側にそれぞれ露出する外部導体のうち双方を接着材または溶加材により固着する工程であることを特徴とする同軸ケーブルの端末処理方法。
【請求項３】
請求項１または２記載の同軸ケーブルの端末処理方法において、
前記第２の引抜工程の後に、切り残されて露出する外部導体をまとめて溶加材で固着する第２の固着工程を備えることを特徴とする同軸ケーブルの端末処理方法。
【発明の詳細な説明】
【技術分野】
【０００１】
本発明は、同軸ケーブルの端末処理方法に関するものである。
【背景技術】
【０００２】
信号の伝送に用いる同軸ケーブル１は、通常、図１に示すように、信号導体２の外側に内絶縁層３と、外部ノイズの侵入を防止する外部導体４と、外部導体を覆う外絶縁層５を順に設けた構成になっている。
この同軸ケーブル１は、外部導体４を接地電位にして使用するので、端末処理時には、その外部導体４を接地端子と接続が行えるように剥ぎ出す必要がある。
そのため、従来行われている同軸ケーブルの端末処理方法としては、端末側の外絶縁層５を剥いで外部導体４を露出させ、この露出した外部導体４をほぐし逆側に折り返して外絶縁層５上に添わせるか、またはほぐした外部導体４を再度撚りあわせて一束にし、これら外部導体４を接地端子に接続する方法があった。
このような同軸ケーブルの端末処理方法は、工数がかかるとともに、外絶縁層５の切断時に下層側に位置する外部導体４や信号導体２を損傷させるおそれがあるため、熟練作業員に頼わざるを得ないのが実情である。
【０００３】
また、後述する特許文献１には、次のような同軸ケーブルの端末処理方法が開示されている。
すなわち、同軸ケーブル１の端末部の所定位置の周囲に外絶縁層の厚さを超えない一定深さの切り込みを形成した後、この切り込み部から端末側の外絶縁層５を端末から前記所定位置までの距離を超えない範囲で端末側に移動させて外絶縁層５を切断し、次いで移動した端末側の外絶縁層５を元の位置近傍まで戻して、外絶縁層５とともに移動して撓む外部導体４をつば状に形成し、このつば状部分を切断し、その後切断した外絶縁層５及び外部導体４を引き抜いて除去する。このような同軸ケーブルの端末処理方法によれば、端末処理方法が容易化され、生産性の向上が期待できる。
【特許文献１】特開平６−２２４２７号公報
【発明の開示】
【発明が解決しようとする課題】
【０００４】
ところで、上述した特許文献１に記載されたケーブルの端末処理方法にあっては、一旦移動させた外絶縁層５を再び元の位置近傍まで戻す際に、外部導体４も外絶縁層５と一体的にすみやかに移動させようとするが、外部導体４が外絶縁層５との摩擦力よりも内絶縁層３との摩擦力の方が強いときに、外部導体４を外絶縁層５とともに移動させることができず、その後工程の外部導体４のカット並びに除去に支障を来すという課題があった。
【０００５】
本発明は、上記の課題に鑑みてなされたもので、その目的とするところは、同軸ケーブルの端末処理を確実にかつ効率の良く行うことにある。
【課題を解決するための手段】
【０００６】
本発明は、上記の課題を解決するため、以下の手段を採用した。
請求項１に記載の発明は、信号導体の外側に内絶縁層、外部導体、外絶縁層を順に設けてある同軸ケーブルの前記外絶縁層を、端末からケーブル中央側に向かう第１の位置で切断してその切断した前記外絶縁層部分を引き抜く第１の引抜工程と、前記同軸ケーブルに残る前記外絶縁層を切断端からさらにケーブル中央側に向かう第２の位置で切断し、この切断した外絶縁層部分を端末側へ移動させる移動工程と、該移動工程によって、移動させた前記外絶縁層部分の移動方向先端側と逆側にそれぞれ露出する前記外部導体のうちいずれか一方を接着材または溶加材によって固着する第１の固着工程と、前記移動させた外絶縁層部分を切断する前の近傍位置まで押し戻して、該外絶縁層部分とともに移動する外部導体の一部を半径方向外方へ突出するように折り曲げる押戻工程と、前記外部導体の半径方向外方へ突出した部分を切断する切断工程と、前記切断した外絶縁層部分を前記切断した外部導体とともに端末側へ引き抜く第２の引抜工程とを備えることを特徴とする。
【０００７】
また、請求項２に記載の発明は、請求項１記載の同軸ケーブルの端末処理方法において、前記第１の固着工程が、移動させた前記外絶縁層部分の移動方向先端側と逆側にそれぞれ露出する外部導体のうち双方を接着材または溶加材により固着する工程であることを特徴とする。
【０００８】
また、請求項３に記載の発明は、請求項１または２記載の同軸ケーブルの端末処理方法において、前記第２の引抜工程の後に、切り残されて露出する外部導体をまとめて溶加材で固着する第２の固着工程を備えることを特徴とする。
【０００９】
本発明の同軸ケーブルの端末処理方法では、切断した外絶縁層部分を端末側へ移動させる移動工程の後の第１の固着工程において、露出する外部導体を接着材または溶加材によって固着するため、固着した外部導体が一つの部材のようにまとまり易くなること、接着材または溶加材の一部が外部導体より半径方向外方へ出っ張り外絶縁層部分と係合可能な状態であること、また、接着材または溶加材によって外絶縁層部分と外部導体とが若干ではあるが固着されることから、その後の押戻工程あるいは第２の引抜工程において外絶縁層部分を移動させるとき、この外絶縁層部分と一体的に外部導体が移動する。この結果、切断工程での外部導体の切断や第２の引抜工程での外絶縁層部分及び外部導体の引き抜きがスムースに行える。
【発明の効果】
【００１０】
以上のように、本発明によれば、同軸ケーブルの端末処理を確実にかつ効率の良く行うことができる。
【発明を実施するための最良の形態】
【００１１】
以下、本発明に係る同軸ケーブルの端末処理方法の実施形態を図面に基づいて説明する。
図２〜図７は実施形態の各工程を示している。図２において符号１は同軸ケーブルであり、この同軸ケーブル１は、信号導体２の外側に、内絶縁層３、外部導体４、外絶縁層５が順に設けられた構成になっている。
ここでは、まず、図２に示すように、外絶縁層５を、端末からケーブル中央側に向かう第１の位置Ｓａで切断する。切断は、レーザーにより周方向に沿って複数切れ目を入れる手段を用いても、あるいは、刃物を用い、周方向の一部に切り込ませて、周方向に沿って一周させる手段を用いても良い。そして、この切断した外絶縁層部分５ａの左右をチャック等で掴んで引き抜く（第１の引抜工程）。
【００１２】
次に、図３に示すように、前記同軸ケーブル１に残る外絶縁層５を前記第１の位置Ｓａで示す切断端からさらにケーブル中央側に向かう第２の位置Ｓｂで切断する。このときの切断方法は、前述したとおり、レーザーを用いてもあるいは刃物を用いてもいずれでも良い。そして、この切断した外絶縁層部分５ｂの左右をチャック等で掴み、端末側へ所定長例えば前記引き抜いた外絶縁層部分５ａの長さの半分程度移動させる（移動工程）。この状態を図４に示す。
【００１３】
次に、図５に示すように、移動工程によって移動させた外絶縁層部分５ｂの移動方向先端側と逆側にそれぞれ露出する外部導体４のうち、外絶縁層部分５ｂの移動方向先端側と逆側の両切断端付近を、樹脂系の接着材またはハンダあるいはろう材等の溶加材６によって固着する（第１の固着工程）。ここで、図５に示すように、外部導体４に付着された接着材または溶加材６は、外部導体４よりも半径方向外方へ出っ張ることとなる。
【００１４】
次に、図６に示すように、移動させた外絶縁層部分５ｂを切断する前の位置近傍、つまり第２の位置Ｓｂ近傍まで押し戻す。このとき、固着した外部導体４が一つの部材のようにまとまり易くなること、接着材または溶加材６の一部が外部導体４より半径方向外方へ出っ張って外絶縁層部分５ｂと係合可能な状態にあること、また、接着材または溶加材６によって外絶縁層部分５ｂと外部導体４とが若干ではあるが固着されることから、外絶縁層５の下層側の外部導体４は外絶縁層部分５ｂとともに移動し、第２の位置Ｓｂ近傍部分では、半径方向外方へ突出するように徐々に折り曲がる。そして、外絶縁層部分５ｂが第２の位置Ｓｂの極近傍まで押し戻されたとき、外部導体４の一部は、完全につば状に形成され、その頂部が外絶縁層５よりも半径方向外方へ突出する（押戻工程）。図６につば状部分を符号７で示す。
【００１５】
次に、外部導体４のつば状部分７の頂部をはさみ等で切断する（切断工程）。次いで、一旦押し戻した外絶縁層部分５ｂを逆側つまり端末側へ移動させて完全に引き抜く。このとき、外絶縁層部分５ｂの下層側にある外部導体４は、前述した理由により、外絶縁層部分５ｂと一体的に移動して完全に引き抜かれる（第２の引抜工程）。
次に、図７に示すように、切り残されて露出する外部導体４を、まとめてハンダあるいはろう材等の溶加材で固着する（第２の固着工程）。
【００１６】
以上説明した同軸ケーブルの端末処理方法であると、切断した外絶縁層部分５ｂの移動方向先端側と逆側にそれぞれ露出する外部導体４の、外絶縁層部分５ｂの極近傍を接着材または溶加材６で固着するという単純かつ簡単な作業を行うだけで、外絶縁層部分５ｂを押し戻すときまたは引き抜くとき、移動方向前後に設けた接着材または溶加材６により、外絶縁層部分５ｂの下層側の外部導体４に確実に力を加えて、外部導体４を外絶縁層部分５ｂと一体的に移動させることができ、これにより外部導体４切断時の切れ残りや切れ幅のばらつきを防ぐことができるとともに、第２の引抜工程での外部導体４の引き抜きがスムースに行える。
【００１７】
なお、上記実施の形態はあくまで本発明の例示であり、必要に応じて発明を逸脱しない範囲で適宜変更可能である。
例えば、上記実施の形態では、第１の固着工程で、移動させた外絶縁層部分５ｂの移動方向先端側と逆側にそれぞれ露出する外部導体４のうちの双方を接着材または溶加材６で固着しているが、これに限られることなく、外絶縁層部分５ｂの移動方向先端側と逆側にそれぞれ露出する外部導体４のうちいずれか一方のみを接着材または溶加材６で固着してもよい。また、最後に行う第２の固着工程を省いても良い。
【図面の簡単な説明】
【００１８】
【図１】同軸ケーブルの構造を示す一部を切り剥いだ正面図である。
【図２】本発明の実施の形態の工程を示す同軸ケーブルの正面図である。
【図３】本発明の実施の形態の工程を示す同軸ケーブルの正面図である。
【図４】本発明の実施の形態の工程を示す同軸ケーブルの正面図である。
【図５】本発明の実施の形態の工程を示す同軸ケーブルの正面図である。
【図６】本発明の実施の形態の工程を示す同軸ケーブルの正面図である。
【図７】本発明の実施の形態の工程を示す同軸ケーブルの正面図である。
【符号の説明】
【００１９】
１  同軸ケーブル
２  信号導体
３  内絶縁層
４  外部導体
５  外絶縁層
５ａ、５ｂ  外絶縁層部分
６  接着材または溶加材
７  つば状部分
【図１】
2005312093.tif 000003
【図２】
2005312093.tif 000004
【図３】
2005312093.tif 000005
【図４】
2005312093.tif 000006
【図５】
2005312093.tif 000007
【図６】
2005312093.tif 000008
【図７】
2005312093.tif 000009